(57)【特許請求の範囲】
【請求項１】
カード用のカードホルダーとお金用のマネーホルダーからなる物体であって、
前記カードホルダーは１枚またはそれ以上のカードの山のためのカード保管スペースを有し、そして前記マネーホルダーはお金のためのお金保管スペースを有し、前記お金保管スペースはお金がゆったりと保管されるように設計され、前記マネーホルダーはお金のために設計された、前記お金保管スペースへのお金アクセス開口部を有し、前記お金保管スペースは前記物体の一部、好適には前記カードホルダーにより、お金の通過を防止するために閉鎖され；
そして好適には、前記カードホルダーと前記マネーホルダーは弾性バネ手段により互いの方向に付勢され；および／または
一方の前記ホルダーまたは、前記カード保管スペース内の前記カードに平行な前記一方のホルダーの壁が、前記カード保管スペース内の前記カードに平行にスライドし、前記お金保管スペースへの前記お金アクセス開口部を開ける、または閉める、
ことを特徴とする物体。
【請求項２】
使いやすい形態、例えば１０枚または２０枚を超えない数のクレジットカードの山を有し、ズボンのポケットまたは内ポケットに収容される、ことを特徴とする請求項１に記載の物体。
【請求項３】
閉鎖ループとしての弾性伸長ゴムバンドが、別々の部分として実現されそして相互に積層されたカードホルダーとマネーホルダーの周りを取り囲み、そして前記カードホルダーと前記マネーホルダーが互いの上に圧力を掛け続けるようにし、好適には前記カードホルダーと前記マネーホルダーは前記ループ内に長手方向に挿入される、ことを特徴とする請求項１または２に記載の物体。
【請求項４】
前記バネ手段は一方の前記ホルダーに固定され、そして他方の前記ホルダーが前記バネ手段および／または前記一方のホルダーに対してスライドできる、ことを特徴とする請求項１−３のいずれかに記載の物体。
【請求項５】
前記マネーホルダーは、前記マネーホルダーの主要壁から離れそして前記主要壁に平行な壁要素（８）を有し、前記壁要素と前記主要壁の間に前記マネーホルダーの内容物を受容し、前記壁要素は前記マネーホルダーが開閉する時に前記マネーホルダーの動きに追従する、ことを特徴とする請求項１−４のいずれかに記載の物体。
【請求項６】
前記壁要素（８）は前記マネーホルダーの幅全体をカバーする幅を有し、および／または前記マネーホルダーの長さの７５％を超えない長さを有する、ことを特徴とする請求項５に記載の物体。
【請求項７】
一方の前記ホルダーが、突出する壁要素（５，１４）により、横向きの両方向において、そして単一の長手方向において他方の前記ホルダーを維持する、ことを特徴とする請求項１−６のいずれかに記載の物体。
【発明の詳細な説明】
【技術分野】
【０００１】
本発明は、お金と、本明細書では「カード」と呼ばれるクレジットカード、銀行カード、およびクレジットカードに類似の寸法を有する異なる物体と、の分離保管のためのホルダーに関するものである。本明細書で「お金」とはコインおよび／または紙幣を意味する。本装置はまた、お金の代替物、例えばコンドームまたはチケット用に設計されている。
【背景技術】
【０００２】
所謂クレジットカード形式に対しては、主な寸法はＩＳＯ７８１０を満たし、厚さ及び丸みはＩＳＯ７８１３を満たす。この形式は異なる用途の多くのカードに使用されている：銀行カード、運転免許、ＩＤカード、会員カード、入場カード、割引カード、貯蓄カード等。
カードは好適には堅い、折れ曲がらない形状を有し、滑らかで、滑りが良く、摩擦の無い表面を有する。
【０００３】
米国特許５９４４０８０（特許文献１）はほぼクレジットカードの寸法の、プレートから組み立てられるホルダーを開示し、その平らなプレートは一方の側で、表面に横方向の溝と、溝から離れて、プレートを押圧するバネブレード状の挟み込みクリップを有する。溝の中に閉鎖ループ状の幅広の弾性ベルトの一部がしっかりとフィットする。ベルトの他の部分はプレートの他方の側を横切って伸長し、そしてベルトはプレートの周りを張り巡らされる。紙幣は挟み込みクリップの下に大雑把に保管され、そしてカードはプレートの反対側でベルトの下に大雑把に挿入される。
【０００４】
このホルダーは多い数と少ない数の両方の紙幣とカードを保管できるが、しかし、それらを身に付けたズボンのポケットの中に長時間きちんと保管することはできない。歩き、立ち上がり、そして座る際の運動により、紙幣とカードはプレートに対してスライドし、ばらばらになり、またはホルダーから脱落する可能性もある。挟み込みクリップは衣類に損害を与える可能性があり、またズボンのポケットから取り出しまたはポケットに入れる際に何かの物体の後ろに引っかかる恐れがある。従ってこのホルダーは使用には適さない。
【０００５】
米国特許６８２３９１０（特許文献２）は扁平な殻状物体から組み立てられ、それはカードの山のきつくフィットした状態での保管を提供し、殻状物体の外側には殻状物体に対して押圧するバネ付きの挟み込みクリップがあって、そしてそのクリップが紙幣を挟み込む。従って紙幣は簡単にバラバラになる。
【０００６】
ＷＯ９７０６７０９（特許文献３；ボディーカード）およびＷＯ２０１０１３７９７５（特許文献４；カード保護）は共に、平べったい筒から作られる、カードだけの保管を目的としたホルダーを開示し、それはカードの山に対しきつくフィットした状態での保管を提供している。  
【先行技術文献】
【特許文献】
【０００７】
【特許文献１】米国特許５９４４０８０
【特許文献２】米国特許６８２３９１０
【特許文献３】ＷＯ９７０６７０９
【特許文献４】ＷＯ２０１０１３７９７５
【発明の概要】
【０００８】
本発明の物体は、１つまたはそれ以上の以下の特徴を有する装置である：使用が単純で容易である；操作ミスがない；異なる数のカードと紙幣を入れた場合にコンパクトである；衣類および皮膚に対し安全である；身に付けたズボンのポケットの中で、カードと紙幣別々に長時間きれいに保管できる；軽量である；寿命が長い；安定した形状で、それによりカードと紙幣が安全に保護される；カードと紙幣が見えないように保管される；紙幣とカードが別々に保管される；低コストで生産される；魅力的外観である；一枚のカードまたは紙幣と多くのカードと紙幣の両方を保管できる；空の場合とカードと紙幣でいっぱいの場合で見た目が同じである；外観が個人の嗜好に合わせて変更できる。上記の１つまたはそれ以上または他で議論される、または従来技術から派生する物体または欠点は、少なくとも部分的に本発明により獲得または解決される。
【０００９】
本発明の装置は、請求項１により特徴づけられる。弾性バネ手段および／またはマネーホルダーまたはカードホルダーは、装置の外観をユーザのライフスタイルに適応させるために、容易に取り換え可能である。本発明の装置（物体）は、使いやすい形態、例えば１０枚または２０枚を超えない数のクレジットカードの山を有し、ズボンのポケットまたは内ポケットに収容される。
【００１０】
好適には以下の１つまたはそれ以上が本発明の装置に適用される：カードの保管スペースおよびお金の保管スペース、および／またはカードホルダーおよびマネーホルダーは、長方形の形状であり、好適には縦長である；カードホルダーおよびマネーホルダーは、安定した形状で、頑丈で、軽量な材料、例えば金属またはポリマー材料、ポリエステル、ＰＰから作られる；カードホルダーおよびマネーホルダーは相互に独立した部分である；カードホルダーおよびマネーホルダーは（装置の付勢手段の）事前の引張力に逆らって、互いに近づきまたは離れる方向に枢動できる；好適には互いに離れる方向の枢動によりお金アクセス開口部が開かれる；カードホルダーおよびマネーホルダー、またはその内部壁は箱型または筒の形状である；カード保管スペースはカードの山をきつくフィットした状態で受け入れる；枢動軸は長さ方向を横断する方向に伸長する；スライドは長さ方向に対して平行である；スライドは本発明の抑制手段により一方向だけに許される；カードの保管スペースおよびお金の保管スペースは本装置の壁、好適にはカードホルダーの壁により互いに分離される；カードの保管スペースおよびお金の保管スペースの長手方向は平行である；枢動軸は末端または末端近くにある；
【００１１】
弾性付勢手段、例えば閉じたループ、好適には幅広のベルトまたは弾性伸長ゴムバンド、例えばバンゴムバンドは本装置を取り巻き、および／または（例えば、きつくフィットすることにより、例えば、突起部または溝に係合することにより）スライドしないように一方のホルダーに、好適にはその周りに取りつけられ、そして（例えば摩擦のない係合により）スライド可能なように他方のホルダーに、好適にはその周りに取り付けられ、（この効果は一方のホルダーの摩擦係合が他方のホルダーの摩擦係合よりはるかに大きい場合にも得られる）ここで他方のホルダーは好適には単に付勢手段で係合力に打ち勝つことによりスライド可能である；
【００１２】
付勢手段は装置の長手方向に対し横断方向に伸長する；付勢手段は装置の長手方向の末端の両方から離れて位置する；一方の側にお金の保管スペースを有し、そして他方の側にカード保管スペースを有する平らなプレートからなる；お金アクセス開口部とカード保管スペースにアクセスするためのカードアクセス開口部は装置の同じ側にある；カードホルダーまたはマネーホルダーは単に摩擦または締りばめにより整列させられる（例えば、長手方向に、またはカードホルダーにカードを挿入する方向に）；カードホルダーまたはマネーホルダーは、摩擦または締りばめを超越する（例えば長手方向の）力を、スライドする方向に加えることにより、スライドできる；
【００１３】
カードホルダーまたはマネーホルダーは装置のストップ（止め）により１つのスライド方向に維持される；付勢手段と係合するカードホルダーまたはマネーホルダーの外側の部分は、完全に滑らかで、滑りやすくそして摩擦が無い；付勢手段がない場合カードホルダーとマネーホルダーは互いにゆるく重ねられる；カードホルダーまたはマネーホルダーは装置の横移動防止ストップの間に位置する；カードホルダーまたはマネーホルダーは固定された相互距離に頂部壁または底部壁を有する；カードホルダーとマネーホルダーは固定された長さ、幅および深さの内の１つまたはそれ以上を有する；カードホルダーはカードの取り出し機構を有する；カードホルダーおよび／またはマネーホルダーは外部壁を提供する；
【００１４】
カードホルダーまたはマネーホルダーは弾性ループに対してスライドする；カードホルダーのそれぞれのスライド位置において、カードアクセス開口部は１枚のカードが挿入できるように開けられる；１つの方向へのスライドを防止するストップのような保持手段は、お金アクセス開口部および／またはカードアクセス開口部の近くに存在する；お金の保管スペースはプレート、シート、壁または薄板の形状のカバー手段またはお金誘導手段を、カードホルダー内のカードに平行に有し、それによりこの手段とお金ホルダーの壁との間にお金が収容される；そのカバー手段は実質的にお金の保管スペースの幅全体に亘って伸長する；カバー手段はお金ホルダーと共に移動するように、例えばお金ホルダーに固定されて、提供される；カバー手段はカードホルダーの隣にあり、および／またはカバー手段に平行なカードホルダーの壁にもたれかかる；
【００１５】
カバー手段は分離された部分である；カバー手段はお金ホルダーの長さの７５％または５０％を超えない長さを有する；カバー手段はお金アクセス開口部に面した端部を有し、その端部はカードホルダーの方向に反っている；カードホルダーまたはマネーホルダーは直立した壁または壁の部分を有し、その間で他のホルダーが３つの側面において範囲を設定される；カードホルダーまたはマネーホルダーはその底部壁から離れた場所で、両側にカードと平行に伸長する支持端部を有し、その上に他のホルダーが支えられる；１つの方向へのスライドを制限するためのカードホルダーまたはマネーホルダーの保持手段は、他のホルダーの前面、例えばアクセス開口部の端部、に係合する；カードホルダーおよびマネーホルダーは等しい、または実質的に等しい長さを有する。
【００１６】
カバー手段は、お金ホルダーを開けるときに、お金ホルダーの中身が挟み込まれるのを防止するが、しかしスライドして開けられているお金ホルダーへの自由なアクセスを阻害しない。
【００１７】
１つのホルダーの外側は、突起または端部またはストップのような例えば保持手段、たとえば溝の一部を有し、それに弾性ベルトの一部が係合し、その弾性ベルトは装置の周りの弾性引張力を持つ閉鎖ループとして提供され、その引張力は装置の各部分を互いに押圧し、それにより装置の各部分を一緒に保っている。ストップはループがその１つのホルダーに対して長手方向に自由にスライドするのを防止する。ループは両方の部分の表面に支持される。ループは例えばゴムから出来ている。固定ベルトはベルトの全長の終端を互いに固定することによりループとして提供できる。固定ベルトは各部分を互いの方向に付勢させる。
【００１８】
カードホルダーおよびマネーホルダーが相互に重なった状態を維持するために、ユーザはベルトを手で引っ張ってループを拡張させ、そしてカードおよびマネーホルダーを拡張されたループの中に挿入し、そしてその後ベルトを離して固定ベルトを弾性収縮させ、それによりループが収縮し、カードホルダーおよびマネーホルダーの周りに広がる。
【００１９】
例えば、相互に係合する、弾性ベルトの表面と、それに対してスライドするカードまたはマネーホルダーの表面との片方または両方は、十分に滑らかで、滑りやすく、そして摩擦がない。例えば、相互に係合する、弾性ベルトの表面と、それに対してスライド可能なカードホルダーまたはマネーホルダーの表面との片方または両方は、十分に粗く、滑りが悪く、そして摩擦が大きい。
【００２０】
「カードに平行」という用語は、「カードの主要面に平行」という意味である。用語「カードホルダー」または「マネーホルダー」は代替的に「装置」を意味してもよい。
【図面の簡単な説明】
【００２１】
【図１−３】好適な実施形態を示す図である。
【図４】好適な実施形態を示す図である。
【図５−６】好適な実施形態を示す図である。
【図７−８】好適な実施形態を示す図である。
【図９−１０】好適な実施形態を示す図である。
【図１１−１２】好適な実施形態を示す図である。
【図１３】好適な実施形態を示す図である。
【図１４−１５】好適な実施形態を示す図である。
【図１６−１７】図１−１５の代替実施形態を示す図である。
【図１８−１９】他の実施形態のタイプを示す図である。
【図２０−２１】代替的カードホルダーを示す図である。
【図２２−２５】図２２−２４は代替的装置を示し、図２５は図２４の代替を示す図である。
【００２２】
図１，３−１３、１８−２１は鳥瞰図であり、図２と１４は側面図であり、図４，１１，１３は展開図であり、残りの図は断面図である。図３，６，１４は閉じられた装置、図２は枢動して開いた装置、図５，７，８はスライドして開いた装置、図９，１０はそれぞれマネーホルダーを示す。    
【発明を実施するための形態】
【００２３】
図１−１５の装置はカードホルダー１、マネーホルダー２、および幅広の閉鎖ループの弾性体３からなる。ホルダー１，２は互いの上に積み重なり、そしてゴムバンド３はホルダー１，２の周りに弾性伸長状態を有し、それによりホルダー１，２はループ３により互いの上に押圧される。部分１，２および３は別々の部分である。
【００２４】
カードホルダー１は扁平な、一方の側が開いた筒型であり、反対側の末端に取り出し機構４を備え、特許文献４により公知のものである。カード７はカードホルダー１に矢印Ｂに従って挿入される。
【００２５】
マネーホルダー２は、頂部が開いたトレイであって、後部壁１１、前部壁１２および立ち上がった側壁１４を有し、側壁１４は後部壁１１、前面壁１２の頂端部の高さに支持端部９を有する。カードホルダー１は、その下方側面１３がマネーホルダー２の支持端部９の上で支えられ、そして支持端部９の上方において側壁１４の間にきつくフィットする。等しい長さのカードホルダー１とマネーホルダー２が位置合わせされると（図１４）、カードホルダー１はマネーホルダー２の後部壁１１、前面壁１２、側壁１４と連結し、それによりお金の保管スペースを上方からふさぎ、そしてマネーホルダー２の側壁１４はカードホルダー１が横方向（図１５の矢印Ｄ）にスライドするのを防止する。
【００２６】
ループ３はさらなる弾性伸長により、相互の枢動（図２の矢印Ｃ）およびカードホルダーおよびマネーホルダーの全長にわたって互いから離れることを可能にし、それによりお金の保管スペースが拡大される。
【００２７】
ループ３はマネーホルダー２の溝の端部６に両側で係合し（図１０と図１３、上下が逆転している）、それによりループ３はマネーホルダー２にその長さ方向において固定されている。ループ３のカードホルダー１との係合は、摩擦が無く、それによりカードホルダー１はループ３の下で長さ方向に矢印Ａ（図１）に従ってスライドしてマネーホルダー２を開けることができる（図５、７、８）。ストップ５はカードホルダー１が図１の位置から矢印Ａと反対方向にループ３の下をスライドすることを防止する。ストップ５はカードアクセス開口部の両側においてカードホルダー１の開放端部に係合する。
【００２８】
お金誘導手段８（図１１、１２、また図１４，１５では破線で示される）は支持端部９の高さにあり、そしてカード７に平行なフレキシブルな仕切りを提供する。図１３はその詳細図Ｉと共に、薄板８のリップ１５がマネーホルダー２のスリットの中に突出し、それにより薄板８がマネーホルダー２に固定され、そしてマネーホルダー２の動きに従うさまを示す。リップ１５はスナップ係合によりマネーホルダー２に固定される。薄板８はマネーホルダー２の底部から離れた頂部壁を提供し、そしてマネーホルダー２の幅全体に伸長し、そして長さはマネーホルダー２の長さの半分を超えず、そしてマネーホルダー２のアクセス開口部と離れた位置に存在する。マネーホルダー２の内容物は、マネーホルダー２がカードホルダー１の下にある場合、本装置の中で薄板８の下方に存在する。
【００２９】
図１６、１７は図１５の代替を示し、そこではカードホルダーは適応が必要である。
図２２−２４は代替の装置を示し、そこではカードホルダーの下方側面１３は枢動して開くことが出来、そしてマネーホルダーはカードホルダーに固定されたループ（不図示）の下方でスライドできる。図２３ではマネーホルダーはスライドして開いている。図２４は図２２の装置に対するマネーホルダーのスライド可能な取付けを示している
図２５は図２４の代替を示す。
【００３０】
図２０，２１は本装置に使用可能な代替的カードホルダーを示し、それらは頂部側面にカード保管スペースへのアクセス開口部を有する。それにより手の親指によりカードがカードホルダーよりスライドして出されることができ、従って取り出し機構４は無くてもよい。
【００３１】
図１８，１９は角が丸められた設計での閉じた状態での本装置を下からおよび上から見た図である。
図面、明細書および請求項は組み合わされた多くの特色を含んでいる。当業者はこれらを単一でそして組み合わせて考慮し更なる実施形態を想起するであろう。
【図１−３】
0006518240.tif 000002
【図４】
0006518240.tif 000003
【図５−６】
0006518240.tif 000004
【図７−８】
0006518240.tif 000005
【図９−１０】
0006518240.tif 000006
【図１１−１２】
0006518240.tif 000007
【図１３】
0006518240.tif 000008
【図１４−１５】
0006518240.tif 000009
【図１６−１７】
0006518240.tif 000010
【図１８−１９】
0006518240.tif 000011
【図２０−２１】
0006518240.tif 000012
【図２２−２５】
0006518240.tif 000013